(57)【要約】【課題】本発明は、車道又は歩道に対し設置スペースを必要とせず、縁石等の境界ブロックに確実に取付可能な標示具を提供する。【解決手段】縁石等の境界ブロック２に嵌合可能な取付基部３と、取付基部３の上部に設けられた標示部４とを備えた標示具１であって、取付基部３には、境界ブロック２の上面20に対応した上面部６と、境界ブロック２の両側面21,22を挟持する挟持手段11,12とを備えたことにより、標示具１が取付基部３を介して境界ブロック２に上方から取り付けられ、車道Ｓ又は歩道Ｈに対し設置スペースを必要とせず、縁石等の境界ブロック２に確実に取付可能で且つ簡便に取外可能となる。【選択図】図１
2008019585.tif 000002
【特許請求の範囲】
【請求項１】
縁石等の境界ブロックに対し上方から嵌合可能な取付基部と、
該取付基部の上部に設けられた標示部とを備えた標示具であって、
前記取付基部には、前記境界ブロックの上面に対応した上面部と、
前記境界ブロックの両側面を挟持する挟持手段とを備えたことを特徴とする標示具。
【請求項２】
前記標示具を前記境界ブロックにおける上面の長手方向に対し並設し、それら標示具を水平方向に連続する横杆部材により連結したことを特徴とする請求項１記載の標示具。
【請求項３】
縁石等の境界ブロックに標示具を取付ける方法であって、
前記境界ブロックに対し上方から標示具の取付基部を嵌合させ、
前記取付基部の上面部を前記境界ブロックの上面に当接させると共に、
前記取付基部に備えられた挟持手段により前記境界ブロックの両側面を挟持することを特徴とする標示具の取付方法。
【請求項４】
前記取付基部の上部に縦方向の標示部を設け、隣り合う前記標示部を横杆部材により連結し、隣り合う境界ブロック間に前記横杆部材を配置することを特徴とする請求項３記載の標示具の取付方法。
【発明の詳細な説明】
【技術分野】
【０００１】
本発明は、縁石等の境界ブロックに設置して用いられる標示具に関する。
【背景技術】
【０００２】
従来、車道又は歩道を移動してくる車又は歩行者等に対し視覚的に徐行等の注意を促すものとして使用されるカラーコーンやバリケード等の標示具は、縁石等の境界ブロックの横に設置して使用している為、車道又は歩道に対しその設置スペースを必要とする他、車道又は歩道に設置されたカラーコーンやバリケードが車道又は歩道を移動してくる車又は歩行者等に接触したり、また、いたずらにより移動や転倒させられる恐れがあった。
【０００３】
また、バリケードを用いれば、車道と歩道とを所定幅で仕切ることができ、脚部を開閉式にしたもの（例えば特許文献１）では、脚部を畳んでコンパクトに収納することができるものの、脚部を開いて使用すると、車道の幅方向のスペースを取るという問題がある。
【０００４】
そこで、車道又は歩道に対して設置スペースを必要としない標示具として、反射体を有する反射具と、この反射具を備えた取付具とよりなり、この取付具が、両側部に互に向き合った保持片を有すると共に、縁石などの取付け対象物に対して、この取付け対象物を、前記保持片間に挾みつけるようにして取付けられることを特徴とする標示具がある（特許文献２）。
【特許文献１】特開平１１−２１８３６号公報
【特許文献２】特開平１０−１７６３１３号公報
【発明の開示】
【発明が解決しようとする課題】
【０００５】
しかし、特許文件２における標示具の保持片の構造では、反射具に支柱を立てる等して使用し、標示具全体の重心位置を高くした場合に、保持片による挟み付けによる取付けでは、標示具が揺動してしまう等の虞があり、縁石等の取付け対象物に対する保持が不安定になる課題を有していた。
【０００６】
そこで解決しようとする問題点は、前記の課題を克服する車道又は歩道に対し設置スペースを必要とせず、縁石等の境界ブロックに確実に取付可能で且つ簡便に取外可能な標示具とその取付方法を提供することである。
【課題を解決するための手段】
【０００７】
請求項１の発明は、縁石等の境界ブロックに対し上方から嵌合可能な取付基部と、該取付基部の上部に設けられた標示部とを備えた標示具であって、前記取付基部には、前記境界ブロックの上面に対応した上面部と、前記境界ブロックの両側面を挟持する挟持手段とを備えたことである。
【０００８】
請求項２の発明は、前記標示具を前記境界ブロックにおける上面の長手方向に対し並設し、それら標示具を水平方向に連続する横杆部材により連結したことである。
【０００９】
請求項３の発明は、縁石等の境界ブロックに標示具を取付ける方法であって、前記境界ブロックに対し上方から標示具の取付基部を嵌合させ、前記取付基部の上面部を前記境界ブロックの上面に当接させると共に、前記取付基部に備えられた挟持手段により前記境界ブロックの両側面を挟持することである。
【００１０】
請求項４の発明は、前記取付基部の上部に縦方向の標示部を設け、隣り合う前記標示部を横杆部材により連結し、隣り合う境界ブロック間に前記横杆部材を配置することである。
【発明の効果】
【００１１】
請求項１の発明によれば、標示具が取付基部を介して境界ブロックに上方から取り付けられることで、車道又は歩道に対し設置スペースを必要とせず、縁石等の境界ブロックに確実に取付けすることができる。また、取付基部に境界ブロックの上面に対応する上面部と境界ブロックの両側面を挟持する挟持手段を備えたことで、標示具を境界ブロックに確実に取り付けることが可能となると共に、特に、異なる幅寸法を有する複数種類の境界ブロックに対し、標示具を確実に取付けることが可能となり、また、取外も容易に行うことができる。
【００１２】
請求項２の発明によれば、複数の標示具が並設されそれぞれを一体に連結して柵状としたことで、標示具の視認性をさらに向上させることができるとともに、この複数の標示具を一体に連結している横杆部材も標示手段の一部として使用することができ、様々な標示方法を用いて車又は歩行者に注意を促すことが可能となる。
【００１３】
請求項３の発明によれば、境界ブロックに対し標示具を、境界ブロックの上面に対し標示具の取付基部の上面部を当接させると共に、挟持手段により境界ブロックの両側面を挟持させて取付けることで、より確実な取付が可能となり、また、取外も容易に行うことができる。
【００１４】
請求項４の発明によれば、境界ブロックと境界ブロックとの間のスペースについても、横杆部材によって仕切ることが可能となる。
【発明を実施するための最良の形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
図１乃至図４は、本発明における実施例１を示しており、標示具１は、縁石等の境界ブロック２に取外し可能に仮設される仮設用標示具であり、この標示具１は境界ブロック２に設置されることで車道Ｓと歩道Ｈとの境界を仕切る仕切り具でもある。
【００１７】
そして、この標示具１は、境界ブロック２に対し上方から嵌合させて取付可能な取付基部３と、取付基部３の上部に設けられた標示部４とからなる。以下、前述の構成について詳細に説明する。
【００１８】
前記取付基部３は、標示部４における標示部本体５の基端が接続された金属製又は合成樹脂製の薄板からなる上面板６（上面部に対応）と、上面板６の両側端にそれぞれ上端が連結された金属製又は合成樹脂製の薄板からなる一対の第１及び第２の側板７,８（側面部に対応）から構成され、下方に向って広くなる略コ字形をなす。また、上面板６及び側板７，８の長さＬは、境界ブロック２の幅Ｍより長く形成されているから、標示具１は境界ブロック２の長さ方向にも安定した取付状態が得られる。
【００１９】
また、第１及び第２の側板７,８の互いに向い合った側の面９,10（以後、内向面という）には、それぞれ第１及び第２の弾性部材11,12が設けられている。この第１及び第２の弾性部材11,12にはともに、薄板状のゴム材が用いられる。
【００２０】
さらに、第１及び第２の弾性部材11,12について詳細に述べると、第１の側板７の内向面９には、ほぼ全体に第１の弾性部材11が設けられるとともに、第２の側板８の内向面10側には、内向面10の面積より小さく形成された第２の弾性部材12が設けられており、その第２の弾性部材12の内向面10側に一体に設けられた固定部材12aには、その基端を固定部材12aに接続されるとともに、その先端が第２の側板８に形成された貫通部13に連通され、水平方向に略平行に配置された軸部材14が一体に設けられている。軸部材14の表面には螺子溝15が形成されている。
【００２１】
また、この第２の弾性部材12と第２の側板８とは、第２の側板８の外向面16（内向面10とは反対側の面）からスライド固定操作部として雌螺子部17を軸部材14に螺着することにより略水平方向にスライド自在な関係に固定されている。本実施例では、雌螺子部17に周知のナットを用い、ナットを側板２に固定している。
【００２２】
このように、第２の弾性部材12は、軸部材14と雌螺子部17とを備えた水平方向移動手段18により、第２の側板８に対して略水平方向に移動可能に接続されている。また、この雌螺子部17に限らず同様の作用のもの（つまりは、軸部材14の螺子溝15に対し螺合可能で、軸部材14上を移動可能なもの）であれば、これに限定されるものではない。
【００２３】
そして、第１の側板７の内向面９に設けられた第１の弾性部材11と、第２の側板８の内向面10側に設けられ水平方向移動手段18により水平方向にスライド自在に設けられた第２の弾性部材12により、挟持手段は構成される。また、挟持手段において、側板８に雌螺子部17を設けたり、側板８に雌螺子部17を有するナットを設けたりして、その側板８又はナットの雌螺子部17に軸部材14を螺合し、この軸部材14を回すことにより側板８に対して軸部材14を移動可能としてもよく、この場合は、軸部材14の先端に固定部材12ａを回動可能に連結してもよいし、固定部材12ａは用いずに、軸部材14の先端で前記弾性部材12を直接押し付けるようにしてもよい。
【００２４】
また、取付基部３の上面板６に基端が接続された標示部４は、その標示部本体５を高さＴに形成された中空柱状のポールとし、このポールを前記上面部６の略中心に立設する。ここで、標示部本体５の高さＴは、図１又は図３に図示されるように、境界ブロック２の正面側から見た幅Ｍより大きくしたものである。また、ポールの材質については、金属製又は合成樹脂製に限らず強度及び耐性を備えたものであれば特にこれについては限定しないものとする。同様に、本実施例では、標示部本体５に中空柱状のポールを用いたが、中実柱状のポールであっても構わないものとする。
【００２５】
さらに、図３乃至図４に示すように、標示部４の変形例として、標示部本体５の上部に、周知の点滅灯19を設けたものでもよく、この点滅灯19に替えて反射板や標識等を標示部本体５に取付けてもよいものとする。
【００２６】
本発明の実施例１に係る標示具の使用方法及び作用について述べると、車道Ｓと歩道Ｈの境界部分に配置されその断面形状を略台形とする境界ブロック２に対し、標示具１の取付基部３を上方から嵌合させる。標示具１の取付基部３と境界ブロック２が嵌合した状態では、取付基部３の上面板６の底面と境界ブロック２の上面20とが当接し、取付基部３の第１及び第２の側板７,８における内向面９,10と境界ブロック２の側面21,22の間には空隙Ｋが形成されている。
【００２７】
そして、取付基部３の第２の側板８に設けられた軸部材14を回転させて、第２の弾性部材12を軸部材14に沿って境界ブロック２の側面22の方向にスライドさせ、第２の弾性部材12を境界ブロック２の側面22に対し押圧させるが、第２の弾性部材12により境界ブロック２の一方の側面22が押圧されると、同時に境界ブロック２の他方の側面21と取付基部３の第１の側板７における第１の弾性部材11とが圧接した状態となる。
【００２８】
このように、標示具１は、取付基部３の上面板６を境界ブロック２の上面20に当接させ、同時に境界ブロック２の側面21,22に面接触する第１及び第２の弾性部材11,12によりなる挟持手段により、境界ブロック２の側面21,22を強固に挟持して、境界ブロック２に仮設される。
【００２９】
また、この上面部６、第１及び第２の弾性部材11,12による３点の接触からなる標示具１の境界ブロック２への取付構造により、取付基部３の上面に接続された標示部本体５が中空柱状なポールであり、その重心位置が高いものであっても、標示具１と境界ブロック２との接続が不安定になることはない。
【００３０】
そして、境界ブロック２に仮設された標示具１の標示部４を視認した車の運転手又は歩行者は、この標示具１によって仕切られた境界ブロック２上の車道Ｓと歩道Ｈとの境界に注意を促されることとなる。
【００３１】
また、標示具１の取付基部３の上面板６、第１及び第２の側板７,８は、薄板状に形成されたことで、取付時に第１及び第２の側板７,８の下側先端を互いに外側に開いて、一時的に境界ブロック２の幅に対し第１及び第２の側板７,８の間隔を大きくすることが可能となる等の柔軟性を備える。
【００３２】
さらに、境界ブロック２の上部に標示具１が配置されたことにより、境界ブロック２の周辺における車道Ｓ又は歩道Ｈの空間を標示具１が侵すことはない。
【００３３】
また、標示部本体５が高さＴに形成されたポールであることで、遠方からの視認性を備えるとともに、その表面に様々な視認効果を備えた標示部品や標識を取り付けることが出来る。ここでは、標示具本体５の上部に点滅灯19が備えられ、ほぼ高さＴの位置で点滅灯19が点滅することで、より視覚的に周囲の車又は通行人に注意を促すことが可能となる。
【００３４】
さらに、中空なポールからなる標示具本体５により、標示具１全体の重量の増加が抑えられ、取付作業時の負担が軽減される。
【００３５】
以上のように、前記実施例では請求項１に対応して、縁石等の境界ブロック２に対し上方から嵌合可能な取付基部３と、該取付基部３の上部に設けられた標示部４とを備えた標示具１であって、前記取付基部３には、前記境界ブロック２の上面20に対応した上面部６と、前記境界ブロック２の両側面21,22を挟持する挟持手段11,12とを備えたことにより、標示具１が取付基部３を介して境界ブロック２に上方から取り付けられ、車道又は歩道に対し設置スペースを必要とせず、縁石等の境界ブロック２に確実に取付けすることができる。また、取付基部３に境界ブロック１の上面20に対応する上面部６と境界ブロック２の両側面21,22を挟持する挟持手段11,12を備えたことで、標示具１を境界ブロック２に確実に取付けることが可能となると共に、特に、異なる幅寸法を有する複数種類の境界ブロック２に対し、標示具１を確実に取付けることが可能となり、また、取外も容易に行うことができる。
【００３６】
また、前記実施例では請求項３に対応して、縁石等の境界ブロック２に標示具１を取付ける方法であって、前記境界ブロック２に対し上方から標示具１の取付基部３を嵌合させ、前記取付基部３の上面部６を前記境界ブロック２の上面20に当接させると共に、前記取付基部３に備えられた挟持手段11,12により前記境界ブロック２の両側面21,22を挟持することにより、境界ブロック２に対し標示具１を、境界ブロック２の上面６に対し標示具１の取付基部３の上面部を当接させると共に、挟持手段11,12により境界ブロック２の両側面21,22を挟持させて取付けることで、より確実な取付が可能となり、また、取外も容易に行うことができる。
【００３７】
さらに、前記実施例上の効果として、縁石等の境界ブロック２に対し上方から嵌合可能な取付基部３と、該取付基部３の上部に設けられた標示部４とを備えた標示具１であって、前記取付基部３には、前記境界ブロック２の上面20に対応した上面部６と、前記境界ブロック２の両側面21,22に対応した一対の側面部７,８とを備えるとともに、前記側面部７,８と前記境界ブロックの両側面21,22との間にそれぞれ弾性部材11,12を配置し、該弾性部材11,12の少なくとも一方を、前記側面部８と前記境界ブロック２の前記側面22との間で水平方向に移動可能にする水平方向移動手段18を備えたことにより、標示具１が取付基部３を介して境界ブロック２に上方から取り付けられることで、車道Ｓ又は歩道Ｈに対し設置スペースを必要とせず、縁石等の境界ブロック２に確実に取付けすることができる。また、前記側面部７,８と前記境界ブロック２の側面21,22との間にそれぞれ弾性部材11,12を配置したことで、標示具１を境界ブロック２に確実に取付けできるとともに、標示具１により境界ブロック２が傷付くことが防止される。さらに、弾性部材11,12を水平方向に移動させる水平方向移動手段18を備えたことで、異なる幅寸法に形成された異なる種類の境界ブロック２に対しても、標示具１を的確に取付けることが可能となる。
【００３８】
また、前記水平方向移動手段18は、前記弾性部材12に基端が接続され水平方向に平行に配置された軸部材14と、前記軸部材14を水平方向にスライド自在にするスライド固定操作部17とを備えたことにより、標示具１を境界ブロック２に対し簡単な機構で確実に取付けることができる。
【００３９】
さらに、前記スライド固定操作部17は、前記側面部８に設けられた雌螺子部17とすることにより、周知のナット等を用いることが可能となり、製造のコストを削減することができる。
【００４０】
また、前記標示部４は標示部本体５を備え、この標示部本体５に中空柱状のポールを用いたことで、標示具１の視認性を向上させるとともに、ポールが中空柱状であることにより、標示具１全体の軽量化を図ることができる。
【００４１】
さらに、前記標示部本体５に点滅灯19を設けたことにより、標示具１の視認性をさらに向上させることができる。
【実施例２】
【００４２】
図５乃至図７は本発明の実施例２を示し、上記実施例１と同一部分に同一符号を付し、その詳細な説明を省略して詳述すると、境界ブロック２の上面20において、その長手方向Ｘに対し標示具１,１を複数並設している。この並設された標示具１,１は、標示部本体５,５同士を、標示部本体５を構成するのと同様なポールからなり、標示部本体５と直交し水平方向に平行に２本並設された横杆部材23,24により連結される。この横杆部材23,24は、一つの境界ブロック２に対し並設された標示具１,１のみを連結するものでもよいし、また、図７に図示されるように、間隔をあけて並設された境界ブロック２,２に標示具１をそれぞれ設置し、この標示具１,１を一体に連結するものでもよいものとする。
【００４３】
さらに、標示部本体５と横杆部材23,24とが交差した箇所は、ステンレス鋼、アルミニウム合金等の金属製の取付金具25を用いてボルト26、ナット27により固定されているが、この交差部分の固定は、この取付金具25以外にも図７に示すように鋼線、天然・合成・人工皮革製紐、合成樹脂製紐又は天然繊維製紐等からなる紐材28により固定してもよいものとする。
【００４４】
また、上側に配置された側の横杆部材23の標示具１,１間には、文字、記号又は図形等の情報29が表記された標示体30が設けられたものであり、ポールからなる標示部本体５，５間に位置する横杆部材23に標示体30を設けることにより、長さ方向に長い標示体30を設けることができ、標示効果に優れたものとなる。
【００４５】
本実施例における標示具１の作用としては、複数の標示具１,１を並設し、上下多段に設けた横杆部材23,24により一体に連結・固定したことで、標示具１,１は柵状の形態を有することになり、標示具１,１を柵として使用した場合、車又は歩行者に対して注意・勧告する事柄については、標示体30に表すことが可能である。
【００４６】
さらに、この柵状の標示具は、１つの境界ブロック２の上面20に標示具１を並設して形成するだけでなく、Ｘ方向の延長線上に並設された二つ以上複数の境界ブロック２,２,…の上面20,20,…に標示具１をそれぞれ並設させ、その標示具１,１,…を横杆部材23,24により連結させることで、規模の大きな柵を形成することも可能となる。
【００４７】
このように本実施例では、請求項１又は３に対応して、上記実施例１と同様な作用・効果を奏する。
【００４８】
また、このように本実施例では、請求項２に対応して、前記標示具１を前記境界ブロック２における上面20の長手方向Ｘに対し並設し、それら標示具１を水平方向に連続する横杆部材23により連結したことにより、複数の標示具１が並設されそれぞれを一体に連結して柵状としたことで、標示具１の視認性をさらに向上させることができるとともに、この複数の標示具１を一体に連結している横杆部材23も標示手段の一部として使用することができ、様々な標示方法を用いて車又は歩行者に注意を促すことが可能となる。
【００４９】
さらに、前記実施例では請求項４に対応して、前記取付基部３の上部に縦方向の標示部４を設け、隣り合う前記標示部４,４を横杆部材23,24により連結し、隣り合う境界ブロック２,２間に前記横杆部材23,24を配置することにより、境界ブロック２と境界ブロック２との間のスペースについても、横杆部材23,24によって仕切ることが可能となる。
【００５０】
また、本実施例上の効果として、標示部本体５と横杆部材23,24とが交差した箇所の固定を取付金具25又は紐材28により行うことで、取付現場に着いてから標示具１を柵状に組立てること及び分解することを可能とし、標示具１と横杆部材23,24とを分けて運ぶことを可能としたことで、作業の効率化が図れるとともに、標示部本体５と横杆部材23,24との固定位置の調整を図ることができ、境界ブロックの上面の長さ方向Ｘに対応した柵を形成することができる。
【００５１】
さらに、この標示具１,１を横杆部材23,24により連結することで形成された柵は、標示具１と横杆部材23,24とが、そして標示具１と境界ブロック２とが、それぞれが着脱自在な構造で接続されているため、標示具１又は横杆部材23,24が単体で損傷した場合にも、標示具、横桟部材及び境界ブロックとが非着脱自在に固定された一般の固定式の安全柵に比べ、その単体ごとに新規のものと交換可能となるなど修復にかかる工程が非常に簡便なものとなる。
【００５２】
また、図７に示すように、標示部本体５と取付基部３は、中空柱状の標示部本体５に雌螺子部31を形成し、この雌螺子部31に螺合自在で取付基部３の上面部20に設けられた雄螺子部32に標示部本体５を着脱可能な構造でも構わないものとする。
【００５３】
尚、本発明は、上記実施例に限定されるものではなく、本発明の要旨の範囲内で種々の変形実施が可能である。例えば、実施例では雄螺子棒からなる軸部材14を示したが、軸部材14としてボルトや、ナットを固定した軸部材を用いてもよい。また、挟持手段は、境界ブロック２に取付基部３を挟持固定及び解除可能なものであれば、各種タイプのものを用いることができ、必ずしも弾性部材及び固定部材を用いる必要はない。
【図面の簡単な説明】
【００５４】
【図１】本発明の実施例１における標示具の正面図である。
【図２】本発明の実施例１における標示具の側面図である。
【図３】本発明の実施例１における標示具の他の実施形態を表す正面図である。
【図４】本発明の実施例１における標示具の他の実施形態を表す側面図である。
【図５】本発明の実施例２における標示具の正面図である。
【図６】本発明の実施例２における標示具の側面図である。
【図７】本発明の実施例２における他の実施形態を示す側面図である。
【符号の説明】
【００５５】
１  標示具
２  境界ブロック
３  取付基部
４  標示部
５  標示部本体
６  上面板（上面部）
11  第１の弾性部材（挟持手段）
12  第２の弾性部材（挟持手段）
20  上面（境界ブロック）
21,22  側面（境界ブロック）
23,24  横杆部材
Ｘ  境界ブロックの上面における長手方向
【図１】
2008019585.tif 000003
【図２】
2008019585.tif 000004
【図３】
2008019585.tif 000005
【図４】
2008019585.tif 000006
【図５】
2008019585.tif 000007
【図６】
2008019585.tif 000008
【図７】
2008019585.tif 000009